(57)【要約】【課題】安価で、フロックの凝集状態を精度良く測定することができる凝集センサ、凝集センシング方法、水処理装置、および水処理方法を提供する。【解決手段】フロックを含む被処理水に光を照射する光照射手段と、被処理水およびフロックに反射した反射光の特徴量を算出する受光センサを有する反射光測定手段と、を備える、凝集センサ２２である。【選択図】図１
2020199423.tif 000002
【特許請求の範囲】
【請求項１】
フロックを含む被処理水に光を照射する光照射手段と、
前記被処理水および前記フロックに反射した反射光の特徴量を算出する受光センサを有する反射光測定手段と、
を備えることを特徴とする凝集センサ。
【請求項２】
請求項１に記載の凝集センサであって、
前記光は、白色光であることを特徴とする凝集センサ。
【請求項３】
請求項１または２に記載の凝集センサであって、
前記光が照射される位置に設置された反射板をさらに備えることを特徴とする凝集センサ。
【請求項４】
請求項３に記載の凝集センサであって、
前記光照射手段は、
前記光を発生する光源と、
前記光源から発せられた光が入射したときに、前記反射板と前記受光センサとの間に焦点距離を有する集光レンズと、
をさらに備えることを特徴とする凝集センサ。
【請求項５】
請求項３に記載の凝集センサであって、
前記光照射手段は、
前記光を発生する光源と、
前記光源から発せられた光を導く光ファイバと、
前記光ファイバの先端に取り付けられ、前記光源から発せられた光が入射したときに、前記反射板と前記受光センサとの間に焦点距離を有する集光レンズと、
をさらに備えることを特徴とする凝集センサ。
【請求項６】
請求項１〜５のいずれか１項に記載の凝集センサであって、
前記受光センサが、反射光の赤、緑、青の各色の比率を出力するＲＧＢ素子を有することを特徴とする凝集センサ。
【請求項７】
フロックを含む被処理水に光を照射する光照射工程と、
前記被処理水および前記フロックに反射した反射光の特徴量を算出する受光センサによって反射光を測定する反射光測定工程と、
を含むことを特徴とする凝集センシング方法。
【請求項８】
被処理水に凝集剤を注入して懸濁物質を凝集してフロックを形成するための凝集反応装置と、
前記フロックを含む被処理水に光を照射する光照射手段と、前記被処理水および前記フロックに反射した反射光の特徴量を算出する受光センサを有する反射光測定手段と、を備える凝集センサと、
を備えることを特徴とする水処理装置。
【請求項９】
被処理水に凝集剤を注入して懸濁物質を凝集してフロックを形成するための凝集反応工程と、
前記フロックを含む被処理水に光を照射する光照射工程と、
前記被処理水および前記フロックに反射した反射光の特徴量を算出する受光センサによって反射光を測定する反射光測定工程と、
を含むことを特徴とする水処理方法。
【発明の詳細な説明】
【技術分野】
【０００１】
本発明は、凝集センサ、凝集センシング方法、水処理装置、および水処理方法に関する。
【背景技術】
【０００２】
用水処理や排水処理等の水処理において、例えば、処理対象とする被処理水に無機系または有機系の凝集剤を注入して、被処理水に含まれる懸濁物質や溶解物等を凝集させてフロックを形成し、固液分離する凝集処理が行われる。
【０００３】
凝集処理において、被処理水の水質が変動することがある。被処理水の水質の変動によって凝集剤の最適な注入条件が変動するが、一般的には、被処理水の水質の変動に対応できるように凝集剤を過剰に注入する傾向にある。
【０００４】
そこで、例えば被処理水の水質が変動しても凝集剤の注入を最適な条件で行うために、フロックの凝集状態をセンシング、モニタリングし、凝集剤の注入条件にフィードバックする方法が検討されている（例えば、特許文献１参照）。フロックの凝集状態のセンシング方法としては、フロックの凝集状態をレーザ光の散乱光によって測定する方法（例えば、特許文献２参照）や、流動電流やゼータ電位を測定する方法（例えば、特許文献３参照）が知られている。
【０００５】
特許文献２の方法のようなレーザ光の散乱光によってフロックの凝集状態を測定する方法では、粒子の大きさを測定することができるが、粒子の色や液体部分の状態等については測定することができないため、測定の精度が不十分である。特許文献３の方法のような流動電流やゼータ電位を測定する方法は、装置が非常に高価であり、水処理の現場等への導入は困難である。
【０００６】
これらの状況から、安価で、フロックの凝集状態を精度良く測定することができるセンシング方法が求められている。
【先行技術文献】
【特許文献】
【０００７】
【特許文献１】特開２００５−１９３２０４号公報
【特許文献２】特開２００５−２１４６５２号公報
【特許文献３】特開２００８−１９４５５９号公報
【発明の概要】
【発明が解決しようとする課題】
【０００８】
本発明の目的は、安価で、フロックの凝集状態を精度良く測定することができる凝集センサ、凝集センシング方法、その凝集センサを用いた水処理装置、および水処理方法を提供することにある。
【課題を解決するための手段】
【０００９】
本発明は、フロックを含む被処理水に光を照射する光照射手段と、前記被処理水および前記フロックに反射した反射光の特徴量を算出する受光センサを有する反射光測定手段と、を備える、凝集センサである。
【００１０】
前記凝集センサにおいて、前記光は、白色光であることが好ましい。
【００１１】
前記凝集センサにおいて、前記光が照射される位置に設置された反射板をさらに備えることが好ましい。
【００１２】
前記凝集センサにおいて、前記光照射手段は、前記光を発生する光源と、前記光源から発せられた光が入射したときに、前記反射板と前記受光センサとの間に焦点距離を有する集光レンズと、をさらに備えることが好ましい。
【００１３】
前記凝集センサにおいて、前記光照射手段は、前記光を発生する光源と、前記光源から発せられた光を導く光ファイバと、前記光ファイバの先端に取り付けられ、前記光源から発せられた光が入射したときに、前記反射板と前記受光センサとの間に焦点距離を有する集光レンズと、をさらに備えることが好ましい。
【００１４】
前記凝集センサにおいて、前記受光センサが、反射光の赤、緑、青の各色の比率を出力するＲＧＢ素子を有することが好ましい。
【００１５】
本発明は、フロックを含む被処理水に光を照射する光照射工程と、前記被処理水および前記フロックに反射した反射光の特徴量を算出する受光センサによって反射光を測定する反射光測定工程と、を含む、凝集センシング方法である。
【００１６】
前記凝集センシング方法において、前記光は、白色光であることが好ましい。
【００１７】
前記凝集センシング方法において、前記光が照射される位置に反射板を設置することが好ましい。
【００１８】
前記凝集センシング方法における前記光照射工程において、前記光を発生する光源と、前記光源から発せられた光が入射したときに、前記反射板と前記受光センサとの間に焦点距離を有する集光レンズと、を用いることが好ましい。
【００１９】
前記凝集センシング方法における前記光照射工程において、前記光を発生する光源と、前記光源から発せられた光を導く光ファイバと、前記光ファイバの先端に取り付けられ、前記光源から発せられた光が入射したときに、前記反射板と前記受光センサとの間に焦点距離を有する集光レンズと、を用いることが好ましい。
【００２０】
前記凝集センシング方法において、前記受光センサが、反射光の赤、緑、青の各色の比率を出力するＲＧＢ素子を有することが好ましい。
【００２１】
本発明は、被処理水に凝集剤を注入して懸濁物質を凝集してフロックを形成するための凝集反応装置と；前記フロックを含む被処理水に光を照射する光照射手段と、前記被処理水および前記フロックに反射した反射光の特徴量を算出する受光センサを有する反射光測定手段と、を備える凝集センサと；を備える、水処理装置である。
【００２２】
本発明は、被処理水に凝集剤を注入して懸濁物質を凝集してフロックを形成するための凝集反応工程と、前記フロックを含む被処理水に光を照射する光照射工程と、前記被処理水および前記フロックに反射した反射光の特徴量を算出する受光センサによって反射光を測定する反射光測定工程と、を含む、水処理方法である。
【発明の効果】
【００２３】
本発明によって、安価で、フロックの凝集状態を精度良く測定することができる凝集センサ、凝集センシング方法、水処理装置、および水処理方法を提供することができる。
【図面の簡単な説明】
【００２４】
【図１】本発明の実施形態に係る水処理装置における凝集センサの実施形態１の一例を示す概略構成図である。
【図２】本発明の実施形態に係る水処理装置における凝集センサの実施形態２の一例を示す概略構成図である。
【図３】本発明の実施形態に係る水処理装置における凝集センサの実施形態３の一例を示す概略構成図である。
【図４】本発明の実施形態に係る水処理装置における凝集センサの実施形態４の一例を示す概略構成図である。
【図５】実施例および比較例における処理時間に対する赤色（Ｒ）の受光比率の推移を示すグラフである。
【発明を実施するための形態】
【００２５】
本発明の実施の形態について以下説明する。本実施形態は本発明を実施する一例であって、本発明は本実施形態に限定されるものではない。
【００２６】
以下、本発明の実施形態に係る凝集センサおよび凝集センシング方法を用いた水処理装置および水処理装置の例を説明する。
【００２７】
＜実施形態１＞
実施形態１は、例えば、光照射部および受光センサを収納した凝集センサの本体部を、凝集反応を行う水処理装置の反応槽の上部に設置して水面に光を照射して測定する方式である。
【００２８】
図１に示す水処理装置１は、被処理水に凝集剤を注入して懸濁物質を凝集してフロックを形成するための凝集反応装置１０と；フロックを含む被処理水に光を照射する光照射手段として光照射部と、被処理水およびフロックに反射した反射光の特徴量を算出する受光センサを有する反射光測定手段として反射光測定部と、を備える凝集センサ２２と；を備える。凝集反応装置１０は、例えば、反応槽１２を備える。
【００２９】
図１の水処理装置１において、凝集反応装置１０の反応槽１２の被処理水入口には、被処理水配管１４が接続されている。反応槽１２の凝集処理水出口には凝集処理水配管１６が接続されている。反応槽１２には、凝集剤を注入するための凝集剤注入手段として凝集剤注入配管１８が接続されている。反応槽１２には、モータ等の回転駆動手段および撹拌羽根等を有する撹拌手段である撹拌装置２０が設置されている。
【００３０】
凝集反応装置１０の反応槽１２の例えば上方には、光照射部と、受光センサを有する反射光測定部と、を備える凝集センサ２２の本体部２４が設置されている。
【００３１】
図１の水処理装置１において、被処理水は、被処理水配管１４を通して凝集反応装置１０の反応槽１２へ送液される。反応槽１２において被処理水に凝集剤が凝集剤注入配管１８を通して注入され、撹拌装置２０により撹拌されて、被処理水に含まれる懸濁物質等が凝集されてフロックが形成される（凝集反応工程）。フロックを含む凝集処理水は、反応槽１２から凝集処理水配管１６を通して排出される。
【００３２】
ここで、フロックを含む被処理水に凝集センサ２２の光照射部から白色光等の光が照射され（光照射工程）、被処理水およびフロックに反射された反射光の特徴量を算出する受光センサによって反射光が測定される（反射光測定工程）。
【００３３】
本構成によって、凝集剤が添加された被処理水のフロックの状態をセンシングすることができ、安価で、フロックの凝集状態を精度良く測定することができる。また、フロックの凝集状態を選択的に測定することができる。
【００３４】
受光センサとしては、被処理水およびフロックに反射した反射光の特徴量を算出することができるものであればよく、特に制限はないが、例えば、赤色（Ｒ）、緑色（Ｇ）、青色（Ｂ）、すなわちＲＧＢ等の各色の比率を出力するＲＧＢ素子を有するセンサを用いることができる。
【００３５】
＜実施形態２＞
実施形態２は、例えば、光照射部および受光センサを収納した凝集センサの本体部を、凝集反応を行う水処理装置の反応槽の上部に設置し、反射板を光が照射される位置、例えば被処理水内の水面近傍に設置し、光を照射して測定する方式である。このような実施形態の一例を図２に示す。
【００３６】
凝集反応装置１０の反応槽１２の例えば上方には、光照射部と、受光センサを有する反射光測定部と、を備える凝集センサ２２の本体部２４が設置されている。光が照射される位置、例えば被処理水内の水面近傍には、反射板２６が設置されている。
【００３７】
被処理水に凝集剤が注入され、水面と反射板２６との間を形成されたフロックが通過する。フロックを含む被処理水に凝集センサ２２の光照射部から白色光等の光が照射され（光照射工程）、被処理水およびフロックに反射された反射光の特徴量を算出する受光センサによって反射光が測定される（反射光測定工程）。反射板を用いることにより、より精度良く反射光を測定することができる。
【００３８】
水面と反射板２６の反射面との距離は、被処理水の懸濁物質等の濃度によって最適な距離は変わってくるが、例えば、被処理水の濁度が１００度程度であれば、５〜１０ｍｍ程度、被処理水の濁度が１０００度程度であれば、２〜５ｍｍ程度が好ましい。
【００３９】
反射板２６の色は、被処理水中の懸濁物質等とのＲＧＢ比率が異なる色であることが好ましく、例えば茶色系のフロックに対しては、Ｇの比率が１００に近い反射板を用いることによって、フロックと液体部分との差を評価しやすくなる。被処理水の色およびフロックの色に応じて、適した反射板２６を適宜付け替えてもよい。
【００４０】
被処理水の濁度等の水質が変化した場合に対応できるように、複数枚の反射板を被処理水内に設置してもよい。
【００４１】
光照射部は、光源から発せられた光が入射したときに、反射板２６と受光センサとの間に焦点距離を有する集光レンズを備えることが好ましい。これにより、より精度良く反射光を測定することができる。
【００４２】
＜実施形態３＞
実施形態３は、例えば、光照射部および受光センサを収納した凝集センサの本体部を、凝集反応を行う水処理装置の透明な反応槽１２の外側に設置し、反射板を光が照射される位置、例えば反応槽１２の内側面近傍に設置し、外壁面の外側から光を照射して測定する方式である。このような実施形態の一例を図３に示す。
【００４３】
凝集反応装置１０の反応槽１２の例えば外側方には、光照射部と、受光センサを有する反射光測定部と、を備える凝集センサ２２の本体部２４が設置されている。光が照射される位置、例えば被処理水内の反応槽１２の内側面近傍には、反射板２６が設置されている。
【００４４】
被処理水に凝集剤が注入され、反応槽１２の内側面と反射板２６との間を形成されたフロックが通過する。フロックを含む被処理水に凝集センサ２２の光照射部から白色光等の光が照射され（光照射工程）、被処理水およびフロックに反射された反射光の特徴量を算出する受光センサによって反射光が測定される（反射光測定工程）。この方法により、水面のゆれ等の影響がほとんどなくフロックの状態を測定することができる。
【００４５】
反応槽１２の内側面と反射板２６の反射面との距離は、被処理水の懸濁物質等の濃度によって最適な距離は変わってくるが、例えば、被処理水の濁度が１００度程度であれば、５〜１０ｍｍ程度、被処理水の濁度が１０００度程度であれば、２〜５ｍｍ程度が好ましい。
【００４６】
＜実施形態４＞
実施形態４は、例えば、光照射部および受光センサを例えば防水のプローブ内に収納し、反射板をプローブの先端部に設けて、被処理水中にプローブの先端部を浸漬して測定する方式である。このような実施形態の一例を図４に示す。
【００４７】
凝集反応装置１０の反応槽１２には、光照射部と受光センサを有する反射光測定部とを有する光照射・反射光測定部２８を備える、凝集センサ２２の本体部２４が設置されている。凝集センサ２２は、本体部２４から所定の距離を置いた先端部に反射板３０を備える。反射板３０は、光が照射される位置に設置され、被処理水内に浸漬されている。
【００４８】
被処理水に凝集剤が注入され、本体部２４と反射板３０との間を形成されたフロックが通過する。光照射・反射光測定部２８の光照射部からフロックを含む被処理水に白色光等の光が照射され（光照射工程）、被処理水およびフロックに反射された反射光の特徴量を算出する、光照射・反射光測定部２８の受光センサによって反射光が測定される（反射光測定工程）。この方法により、水面のゆれ等の影響がほとんどなくフロックの状態を測定することができる。
【００４９】
光照射手段は、光を発生する光源と、光源から発せられた光を導く光ファイバと、光ファイバの先端に取り付けられ、光源から発せられた光が入射したときに、反射板と受光センサとの間に焦点距離を有する集光レンズと、を備えるものであってもよい。この構成により、センサーの設置スペースや透明な窓がなくても、比較的自由にセンサーを取り付けることができる。
【００５０】
上記実施形態の他に、例えば、光照射部および受光センサを収納した凝集センサの本体部を、凝集反応を行う水処理装置の反応槽の上部に設置して水面に光が斜め方向から入射するように光を照射して、反応槽の内壁面に反射させて測定する方式であってもよい。この方法により、反射板を用いなくても反射光を効率的に測定することができるという利点がある。
【００５１】
反応槽１２内には、凝集センサ２２による測定を阻害しないように、反応槽１２内の流れを阻害する阻流板を設置してもよい。
【００５２】
上記実施形態では、反応槽１２内の被処理水の凝集状態を測定しているが、被処理水を別の容器等にサンプリングして、測定してもよい。
【実施例】
【００５３】
以下、実施例および比較例を挙げ、本発明をより具体的に詳細に説明するが、本発明は、以下の実施例に限定されるものではない。
【００５４】
＜実施例１＞
図３に示す、凝集センサを備える水処理装置を用いて凝集状態の測定を行った。被処理水として、濁度１００度の水を用い、凝集剤としてポリ塩化アルミニウム（ＰＡＣ）を２分毎に２０ｍｇ／Ｌずつ増加する注入率で被処理水に注入した。光照射部および受光センサを収納した凝集センサの本体部を透明な反応槽の外側方に設置し、反射板を被処理水内の反応槽の内壁面から反射板の反射面が５ｍｍとなる位置に、反応槽の内壁面にほぼ平行になるように設置し、反応槽の外壁面の外側から白色光を照射して測定を行った。凝集センサとしては、キーエンス製ＬＲ−Ｗ型を用いた。反射板は、赤色の反射板を用いた。処理時間に対する赤色（Ｒ）の受光比率の推移を図５に示す。
【００５５】
＜実施例２＞
反射板を取り除いて実施例１と同様にして測定を行った。結果を図５に示す。
【００５６】
実施例１では、フロックが形成されてくる３００秒以降、反射板の色である赤の比率が増えてきていることがわかる。フロックの色（茶色）と反射板との色が異なるため、測定範囲にフロックがないときには、Ｒ比率が高く、フロックがあるときにはＲ比率が低くなり、フロック有無の差が明確になった。よって、フロックの凝集状態を精度良く測定することができた。
【００５７】
一方、実施例２では反射板を用いずに、フロックを直接観察している。フロックが形成され始める３００秒付近から、センサの挙動に変化があるものの、実施例１と比較すると、その後の変化を明確に捉えることができておらず、感度がやや悪いことがわかる。しかし、フロックの凝集状態を精度良く測定することができた。
【００５８】
このように、実施例の凝集センサにより、安価で、フロックの凝集状態を精度良く測定することができた。
【符号の説明】
【００５９】
１，３，５，７  水処理装置、１０  凝集反応装置、１２  反応槽、１４  被処理水配管、１６  凝集処理水配管、１８  凝集剤注入配管、２０  撹拌装置、２２  凝集センサ、２４  本体部、２６，３０  反射板、２８  光照射・反射光測定部。
【図１】
2020199423.tif 000003
【図２】
2020199423.tif 000004
【図３】
2020199423.tif 000005
【図４】
2020199423.tif 000006
【図５】
2020199423.tif 000007